(57)【要約】【課題】角質繊維、特に、睫毛又は眉毛に物質、特に、メーキャップを塗布しやすくするアプリケータを提供する。【解決手段】本発明のアプリケータは、長手方向軸線（Ｘ）に沿って延びる端部（４a）を備えたロッド（４）及びロッドの端部（４a）に固定されたブラシ（５）を有し、ブラシは、コア（１０）と、コアの剛毛支持部分（１２）から延びる剛毛（１１）とから成り、前記剛毛支持部分の全ての箇所は、ロッドの端部の長手方向軸線（Ｘ）に対して０でない角度をなし、この角度は、２０°未満であることを特徴とする。【選択図】図１
2008110259.tif 000002
【特許請求の範囲】
【請求項１】
物質（Ｐ）を角質繊維、特に睫毛又は眉毛に塗布するアプリケータであって、長手方向軸線（Ｘ）に沿って延びる端部（４ａ）を備えたロッド（４）及びロッドの端部（４ａ）に固定されたブラシ（５）を有し、ブラシは、コア（１０）と、コアの剛毛支持部分（１２）から延びる剛毛（１１）とから成り、前記剛毛支持部分の全ての箇所は、ロッドの端部の長手方向軸線（Ｘ）に対して０ではない角度をなし、前記角度は、２０°未満であることを特徴とするアプリケータ。
【請求項２】
前記剛毛支持部分（１２）は、実質的に直線状であることを特徴とする請求項１記載のアプリケータ。
【請求項３】
前記剛毛支持部分（１２）は、その中間部（Ｍ）から延びる遠位端部（１３）を有し、ロッドの端部の長手方向軸線（Ｘ）は、前記遠位端部の包絡面と交わっていることを特徴とする請求項１又は２に記載のアプリケータ。
【請求項４】
ロッド（４）の端部の長手方向軸線（Ｘ）に対するコアの剛毛支持部分（１２）のなす角度（α）は、５°〜１０°であることを特徴とする請求項１〜３のうちいずれか一に記載のアプリケータ。
【請求項５】
コアの剛毛支持部分（１２）のロッドから遠く離れた端部（１２ｂ）は、長手方向軸線（Ｘ）から所定の距離（ｄ）のところに位置し、前記距離は、４．５ｍｍ未満であることを特徴とする請求項１〜４のうちいずれか一に記載のアプリケータ。
【請求項６】
コア（１０）は、少なくとも２本の撚り合わされたストランドから成ることを特徴とする請求項１〜５のうちいずれか一に記載のアプリケータ。
【請求項７】
コアは、ブラシの長さに沿う少なくとも一箇所が中心から偏位していることを特徴とする請求項１〜６のうちいずれか一に記載のアプリケータ。
【請求項８】
ロッドは、取っ手（６）に連結されていることを特徴とする請求項１〜７のうちいずれか一に記載のアプリケータ。
【請求項９】
コアの剛毛支持部分（１２）の長手方向軸線（Ｙ）は全体が、ロッドの端部の長手方向軸線（Ｘ）を含む平面（Ｒ）の同一側に延びていることを特徴とする請求項１〜８のうちいずれか一に記載のアプリケータ。
【請求項１０】
角質繊維、特に睫毛及び（又は）眉毛に物質を塗布するアプリケータ付き包装器具であって、物質を入れる受け器（２）及び請求項１〜９のうちいずれか一に記載のアプリケータ（３）を有していることを特徴とする器具。
【発明の詳細な説明】
【技術分野】
【０００１】
本発明は、物質を角質繊維、特に睫毛又は眉毛に塗布するよう設計されたアプリケータに関する。
本発明は特に、長手方向軸線に沿って延びる端部を備えたロッド及びロッドの端部に固定されたブラシを有し、ブラシがコアと、コアの剛毛支持部分から延びる剛毛とから成るアプリケータに関する。
特に、本発明は、コア全体がロッドの軸線上に延びてはいないアプリケータを提供する。
【背景技術】
【０００２】
この種の多くのアプリケータが知られている。
特に、フランス国特許出願公開第２，７９８，２６７号明細書は、ブラシの自由端部が塗布されるべき物質の入っている受け器の壁から物質を取り出すことができるようブラシがロッドに対し角度をなしているアプリケータを記載している。かかるアプリケータでは、上記コアが直線である場合にコアの剛毛支持部分又は上記コアが湾曲している場合にコアのその遠位端部の接線がロッドの長手方向軸線となす角度は、極めて大きい。
【０００３】
非直線状コアを備えたブラシを有する他のアプリケータが、フランス国特許出願公開第２，７４９，４９０号明細書、欧州特許出願公開第８３２，５８０号明細書、欧州特許出願公開第１，２３６，４１９号明細書、欧州特許出願公開第１，２３６，４２０号明細書及び欧州特許出願公開第１，２３６，４２１号明細書で知られている。
【発明の開示】
【発明が解決しようとする課題】
【０００４】
アプリケータの中には、コアの剛毛支持部分のブラシのロッド側端部は、ロッドの長手方向軸線に対し極めて大きな角度、例えば、３０°以上をなすものがある。かかる大きな角度では、ユーザは、ブラシを用いるには先ず最初に必ずコアの向きを確かめなければならず、それにより、メーキャップを施すのに必要な動きが複雑になる。
【課題を解決するための手段】
【０００５】
本発明は、特に睫毛及び眉毛をメーキャップするよう設計された一段と改良型のアプリケータを提供することを目的としている。
【０００６】
本発明は、一特徴として、物質を角質繊維、特に睫毛又は眉毛に塗布するアプリケータであって、長手方向軸線に沿って延びる端部を備えたロッド及びロッドの端部に固定されたブラシを有し、ブラシは、コアと、コアの剛毛支持部分から延びる剛毛とから成り、剛毛支持部分の全ての箇所は、ロッドの端部の長手方向軸線に対して０ではない角度をなし、この角度は、２０°未満であることを特徴とするアプリケータによって上記目的を達成する。
剛毛は、少なくとも一箇所が非円形の断面の包絡面を備えた自由端部を有している。
コアの剛毛支持部分は、直線状であるのがよい。
【０００７】
本発明は、ブラシとロッドのなす角度が極めて小さく、ユーザが先ず最初にロッドの軸線回りのコアの向きを確かめる必要なく用いることができ、かくして、必要に応じ、従来型アプリケータと実質的に同一の動きで使用でき、コアが全体としてロッドの端部の長手方向軸線と整列した状態で直線状に延びるアプリケータを提供する。
加うるに、包絡面の断面が少なくとも一箇所で非円形の場合、本発明は、第１に、全体としてロッドの端部の長手方向軸線と整列した状態では延びていないコア及び第２に断面が非円形の包絡面が設けられていることと関連した利点を奏する。
【０００８】
特に、ブラシは、少なくとも１つの長手方向隆起条を備えるのがよく、かかる隆起条はコアの傾斜との相乗作用として、ブラシの剛毛が睫毛を一層容易且つ効率的に櫛けずってカールさせることができるような仕方で睫毛相互間に良好に侵入できるようにする。
さらに、アプリケータを塗布中ロッドの軸線回りに回している間、ブラシを振動させることができ、それにより、ブラシの剛毛が睫毛をより効率的に掴むことができるようになる。
【０００９】
コアの剛毛支持部分は、ロッドの端部の長手方向軸線に対し角度をなすのがよく、この角度は、２０°未満、特に１５°未満、より良好には、１０°以下、例えば約８°である。ロッドの長手方向軸線に対するコアの剛毛支持部分のなす角度は特に、０．２°〜２０°、好ましくは０．５°〜１５°、より良好には１°、又は５°〜１０°である。
【００１０】
コアは、少なくとも剛毛支持部分に沿って実質的に直線状であるのがよい。コアが直線状ではない場合、ロッドの端部の長手方向軸線に対するコアの任意の箇所における角度は、この箇所におけるコアの長手方向軸線の接線によって与えられる。
コアの剛毛支持部分のロッドから見て遠くの端部とロッドの端部の長手方向軸線Ｘとの間の距離は、ブラシの長さで決まる。特定の実施形態では、この距離は、７．５ミリメートル（ｍｍ）未満、又は例えば４．５ｍｍ未満であり、例えば約３ｍｍであるのがよい。
【００１１】
コアの剛毛支持部分の長手方向軸線は、これ又ロッドの端部の長手方向軸線を含む平面内へ延びるのがよい。ブラシは、上述の平面に垂直な長軸の横長形断面を備えた包絡面を備えるのがよい。上述の断面は、例えば形状がレンズ形であるのがよい。
一例を挙げると、ブラシは、上記平面に垂直な少なくとも１つの面（フェース）又はフェーセットを更に備えているのがよい。
【００１２】
コアの剛毛支持部分の長手方向軸線は全体が、ロッドの端部の長手方向軸線を含む平面の同一側に延びるのがよい。剛毛支持部分のロッドから見て遠くの端部は、ロッドの端部の長手方向軸線から見て剛毛支持部分の最も遠くに位置する箇所となるのがよい。
【００１３】
ブラシは、少なくとも１つの長手方向隆起条を備えるのがよく、非限定的な例では、ブラシは、例えば２〜８の隆起条を有するのがよい。
ブラシは、少なくとも１つの平面又は凹状面又はフェーセットを備えるのがよい。ブラシは、ブラシを断面で見たときに、特に曲率半径を備えた少なくとも１つの凸状面又はフェーセットを更に備えるのがよく、この曲率半径は、コアから上記断面の上記凸状面又はフェーセットまで延びる最も長い剛毛の長さよりも大きい。
【００１４】
コアは、少なくとも２本の撚り合わされたストランド、特に、金属ワイヤを半分に折り返すことにより得られる２本の撚り合わされた金属ストランドから成るのがよい。
ストランドは、左ピッチで撚り合わされるのがよく、又は変形例として、右ピッチで撚り合わされてもよい。
【００１５】
包絡面は、コアの剛毛支持部分の長さの大部分又は全体にわたり一定断面のものであるのがよい。
包絡面は、例えば寸法が異なるが形状は異ならない断面の少なくとも一部分を備えるのがよい。
一例を挙げると、包絡面の断面は、コアの少なくとも一箇所において、多角形、特に３角形、正方形、５角形、６角形、横長形、特に楕円形、レンズ形、星形、特に、３〜６の枝を備えた星形、又は鍵穴形から成る群から選択された全体形状を備えるのがよい。
【００１６】
包絡面の少なくとも１つの断面に関し、コアは、この断面の対称中心を定めるのがよい。
コアは、ブラシの長さに沿う少なくとも一箇所が中心から偏位しているのがよい。
直径の異なる少なくとも２組の剛毛を有するのがよい。
【００１７】
アプリケータは、弾性材料、特にエラストマーで作られた少なくとも１組の剛毛を有するのがよい。
アプリケータは、剛毛が角質繊維上を滑りやすくし、又は、逆に粗い表面を生じさせ、それにより角質繊維への掴み具合を増強させるよう設計された配合物、例えば粒子状配合物等を含む少なくとも１組の剛毛を有するのがよい。
【００１８】
アプリケータは、剛毛のブレンド又は組合せを有してもよい。アプリケータは、少なくとも１つの起伏部を備えた少なくとも１つの剛毛を有するのがよく、このアプリケータは、特に、各々が少なくとも１つの起伏部を含む少なくとも１つの周期的パターンを有する少なくとも２つの剛毛を有するのがよく、少なくとも２つの周期的パターンは、互いに異なる。２つの周期的パターンは、２つの別々の剛毛又は単一の剛毛の一部であるのがよく、波形部は、互いに異なる形状を有してもよく、例えば、のこ歯状であっても正弦波状であってもよく、或いは種々の振幅又は種々の空間的周波数の波形部であってもよい。「周期的パターン」という用語は、剛毛に沿って実質的に周期的に繰り返される剛毛の一部を意味している。
【００１９】
アプリケータは、射出成形によって作られた剛毛以外のコア付きの剛毛を有してもよく、ブラシが、コアから配向された状態で延びる湾曲した剛毛を備えている少なくとも１つの部分を有するのがよい。「配向された状態で延びる」という用語は、湾曲した剛毛が、ブラシの製造中に与えられ、全くでたらめな向きではなく、全体として同じ向きで延びることを意味している。剛毛は特に、コアの周りに同一の周方向に配向されたものであるのがよい。ブラシの剛毛は、高温状態の表面、特にブラシに対して動くことができる表面と接触することにより湾曲させられたものであるのがよい。この表面は例えば、比較的低い熱伝導率を持つ材料、例えばシリコーン、弗素化ポリマー、例えばポリテトラフルオロエチレン又は金属以外の無機材料、特に黒鉛によって構成されたものであるのがよい。
【００２０】
アプリケータは、シングルターンを構成する捩りコアを有してもよく、剛毛は、ブラシのターン相互間に挟まれる。アプリケータの一特徴によれば、ブラシは、２つの隣り合うシングルターン相互間に挟まれた少なくとも２つの曲げ剛毛を有するのがよく、材料は幾分剛毛から除去される。変形例として、剛毛は、これらの長さに沿う少なくとも１点で平らにされたものであるのがよく、剛毛は、この点から外部に向かって非半径方向に延びるのがよい。曲げ剛毛は各々、互いに角度をなす２つの直線状部分を有するのがよい。２つの直線状部分は、同一の横方向断面を有するのがよい。曲げ剛毛は全てコアから実質的に同一距離のところに位置した曲げ部を構成するのがよい。
【００２１】
アプリケータは、シングルターン中に５〜８０本の剛毛、例えばシングルターン中に１０〜５０本の剛毛を有するのがよい。ブラシは又、これよりも少ない剛毛を備えたものであってもよく、このブラシは、例えばシングルターン中に５〜２０本の剛毛を有する。シングルターン中の剛毛の本数は、ブラシのコア回りにブラシを１８０゜回転させている間に動かないでいる観察者によって数えられる剛毛の自由端部の数に一致する。
アプリケータは、捩り剛毛を有してもよい。
【００２２】
本発明の非限定的な特徴では、ロッドは、取っ手に連結される。取っ手は、塗布されるべき物質を収容する受け器を密封的に閉鎖するような仕方で構成されたものであるのがよく、この受け器は、ワイパ部材を備えるのがよい。
【００２３】
本発明は又、別の特徴として、単独で又は上記との組み合せとして、物質を角質繊維、特に睫毛又は眉毛に塗布するアプリケータであって、長手方向軸線Ｘに沿って延びる端部を備えたロッド及びロッドの端部に固定されたブラシを有し、ブラシは、コアと、コアの剛毛支持部分から延びる剛毛とから成り、剛毛が、好ましくは少なくとも一箇所のところで断面が非円形の包絡面を備える自由端部を有し、剛毛支持部分のロッド側端部は、長手方向軸線Ｘに対し０ではない角度を有し、剛毛支持部分は、その長さに沿う中間からブラシの自由端部の方向に延びる遠位端部を備え、長手方向軸線Ｘは、上記遠位端部の包絡面と交わり、剛毛支持部分は、その中間のところではなくロッドから見て遠くの端部のところが長手方向軸線Ｘから更に遠ざかって位置していることを特徴とするアプリケータを提供する。
【００２４】
本発明は又、別の特徴として、角質繊維、特に睫毛及び（又は）眉毛に物質を塗布するアプリケータ付き包装器具であって、物質を入れる受け器及び上述したアプリケータを有することを特徴とする器具を提供する。この器具は、ブラシを受け器から取り外している間にブラシの拭い取りを行うように配置されたワイパを更に有するのがよい。
【００２５】
本発明の内容は、添付の図面を参照して本発明の非限定的な実施形態に関する以下の詳細な説明を読むと一層理解されよう。
【発明を実施するための最良の形態】
【００２６】
図１は、睫毛又は眉毛に塗布されるべき物質Ｐ、例えばマスカラを収容した受け器２及び一端部４ａにブラシ５を備えると共に他端部が受け器２のクロージャキャップともなっている取っ手６に締結された円形断面のロッド４を含むアプリケータ３を有するアプリケータ付き包装器具を示している。受け器は、例えば受け器のネック８内に挿入されたエラストマー片によって構成されたワイパ部材７を備えている。当然のことながら、他形式のワイパを使用できる。
【００２７】
図示の例では、ロッド４は、アプリケータが受け器内の定位置にあるとき、受け器２のネック８の軸線と一致する直線状の長手方向軸線Ｘを備えている。
取っ手６は、取っ手をそれ自体公知の方法でネック８に完全に螺着させると、受け器２を密封的に閉鎖するよう構成されている。
【００２８】
図示の例では、ワイパ部材７は、ロッド４の直径に実質的に一致した直径の円形断面のオリフィス９を有している。
ブラシ５は、２本の撚り合わされた金属ストランドで作られたコア１０を有し、このコア１０は、一端がロッド４のハウジング内に固定され、例えばこのハウジング内に圧力嵌めされている。
【００２９】
図２を参照すると、コア１０は、剛毛１１を支持した部分１２を備えていることが分かり、これら剛毛は、コア１０の撚り合わされたストランド相互間でクランプされることによって保持されており、従来方法でコア１０から実質的に半径方向に延びている。
【００３０】
図示の例では、コア１０の部分１２は、直線状であって、少なくともそのロッド側端部１２ａのところが長手方向軸線Ｘに対し角度αをなす長手方向軸Ｙを備えている。
【００３１】
図２では、ブラシ５の剛毛１１の自由端部によって構成された包絡面Ｅが点線で示されている。
【００３２】
図１では、ブラシ５は、アプリケータが定位置にあるとき、受け器２の壁と接触できないことは観察されるべきである。当然のことながら、ブラシ５が受け器２の壁に接触するような寸法形状を受け器２が備えることは本発明の範囲から逸脱しない。
【００３３】
図示の例では、コア１０は、ロッド４を越えて延びるその部分の実質的長さ全体にわたって剛毛１１を支持している。
部分１２は、その長さの中間部Ｍの長さからブラシの自由端部まで延びる遠位端部１３を備えている。
【００３４】
図示の例では、角度αは、軸線Ｘが箇所Ａのところで上記遠位円端部１３の包絡面と交わるのに十分小さく、例えば約８°である。
【００３５】
ブラシの自由端部１２ｂのところでの軸線Ｘと軸線Ｙとの間の距離ｄは、４．５ｍｍ未満、例えば約３ｍｍである。当然のことながら、この距離ｄは、ブラシの長さで決まり、４．５ｍｍ以上であるのがよく、これは本発明の範囲から逸脱しない。部分１２の中間部Ｍから軸線Ｘまでの距離ｄ′は、距離ｄ未満である。
【００３６】
部分１２の長手方向軸線Ｙは、全体が、軸線Ｘを含み、図２の平面に垂直な平面Ｒの同一側に延びており、軸線Ｙは、この図の平面内で延びている。
【００３７】
図３で分かるように、ブラシの包絡面Ｅは、その長さに沿う少なくとも一箇所のところに、非円形の断面を備えるのがよく、この断面は、図示の例では例えば角柱形である。
より詳細には、この例では、ブラシは、３つの長手方向隆起条１５及び隆起相互間に延びる３つの実質的に平らな面又はフェース１６を備えた実質的に３角形断面のものである。一般に、ブラシは、その長さの大部分にわたり又はその長さの全体にわたって一定であり又は一定であるのがよいが一定でなくてもよい断面を備えるのがよい。
【００３８】
図１及び図２の例では、ブラシの断面は、その自由端部に向かって実質的に同一の形状を維持し、即ち、３角形の形状を保存しながら大きさが減少している。隆起条１５は実質的に、軸線Ｙの円錐面によって包囲されている。
【００３９】
ブラシ５を製作するため、例えば、コアの軸線Ｙ回りに円筒形である包絡面を備えたブランクで開始することが可能であり、このブランクは、直線状であって、ロッド４の長手方向軸線Ｘと整列状態にあり、次に、ブラシ５を機械加工してこれにその自由端部に向かって先細になった円錐形の形を与え、３つの面１６を切断形成し、最後に、コア１０を折り曲げ、ここでロッド４から出て所望の傾斜角αがコア１０に与えられるようになっている。
【００４０】
メーキャップを施すため、ユーザは、アプリケータをねじ戻してブラシを受け器２から取り出し、このブラシは、ワイパ部材７を通過する際に拭いとりが行なわれる。角度αが例えば１０°未満という小さな値の場合、ユーザは、物質を塗布して睫毛を櫛けずる前に最初に軸線Ｘ周りのコア１０の向きを確認する必要なくアプリケータ３を用いることができる。
【００４１】
必要ならば、ユーザは、ブラシ５を軸線Ｘ回りに僅かに回すことができる。メーキャップを施している間、隆起条１５は、物質が過剰な場合に或る特定の場所で互いにくっ付く恐れのある睫毛を分離する櫛のように働くことができる。この櫛けずり効果は、特に隆起条１５の周方向寸法が例えば２ｍｍ以下の場合に促進できる。コアの傾斜角αにより、ブラシの縁部は、ロッドの軸線Ｘ回りに回る際、方向を次第に変化させることができ、それにより、睫毛の櫛けずり及びカール付けが向上し、ブラシの剛毛が睫毛相互間に一層効果的に侵入できるようになる。
【００４２】
当然のことながら、アプリケータ、特にブラシに対して種々の設計変形を行なうことができ、これは本発明の範囲から逸脱しない。
特に、ブラシは、種々の断面、例えば図４に示すような正方形、図５に示すような５角形又は図６に示すような６角形を持つことができる。
【００４３】
一例を挙げると、ブラシは、図７に示すような少なくとも１つの平らな表面２８、図８に示すような少なくとも１つの凹状側部２９又は図９に示すような少なくとも１つの凸状側部３０を有する円形断面の包絡面を更に有するのがよい。
【００４４】
図９では、ブラシは、横長形の断面の包絡面を備えるのがよく、特に、その断面は長軸Ｚ及び短軸Ｗを備えたレンズ形であってもよいことは理解できる。
【００４５】
図１０及び図１１は、図１０の長軸Ｚに沿うと共に図１１の短軸Ｗに沿って観察したレンズ形断面の包絡面を有するブラシ５を示している。
【００４６】
当然のことながら、コアは、本発明の範囲から逸脱しないで他の或る方法で曲げられたものであってもよく、特に、コアは、長手方向軸線Ｘに垂直な軸線周りに曲げられたものであってよく、この垂直軸線は、長手方向軸線Ｚ周りの向きを備えるのがよい。
ブラシは、図１２に示すように切欠き３３を形成する断面の包絡面を更に有するのがよい。
コア１０は又、包絡面の断面に対し図１３に示すようにブラシの少なくとも一箇所のところで中心から偏位していてもよい。
【００４７】
図１４に示すように、ブラシは、全体として鍵穴形状の断面の包絡面を有してもよく、かかる鍵穴形状の断面は、例えばその周囲の大部分にわたって短い剛毛３４を有すると共にその周囲の残部にわたって長い剛毛３５を有する。かかるブラシは又、切欠きを形成している。
【００４８】
包絡面が図１５に示すようにコアの剛毛支持部分１２の長さの大部分にわたって実質的に一定の断面のものであってもこれは本発明の範囲から逸脱しない。
【００４９】
本発明に従って作られたブラシに任意タイプの剛毛、特に、円形以外の断面を備えた剛毛を用いることが可能である。
特に、互いに異なるタイプの剛毛の組み合せ又は同一タイプのものであってもよく又は同一タイプのものでなくてもよい互いに異なる長さの剛毛の組み合せを用いることが可能である。
【００５０】
特に、断面が図１６〜図３３に概略的に示す形状のうちの１つ、例えば、図１６に示すような平坦部を備えた円形の形、図１７に示すような平らな形状、星形、例えば、図１８に示すような十字の形状又は図１９に示すような３つの枝を備えた星形、図２０に示すようなＵ字形、図２１に示すようなＨ字形、図２２に示すようなＴ字形、図２３に示すようなＶ字形、中空形状、例えば、図２４に示すような円形、又は図２５に示すような正方形、枝分かれを形成する形状、例えば、図２６に示すような雪片形状、図２７に示すような角柱断面、例えば３角形、図２８に示すような正方形、又は図２９に示すような６角形、横長形、特に、図３０に示すようなレンズ形又は図３１に示すような砂時計形のうち１つを備えた剛毛を用いることが可能である。
また、図３３に示すように少なくとも１つの毛管状溝３６を備えた剛毛を用いることも可能である。
【００５１】
コアの撚り合わせられたストランド相互間に保持される剛毛１１は、コアのストランド相互間の定位置に置かれる前に、直線の形を備えるのがよく又は変形例として、非直線形状、例えば図３４に示すように波状に起伏した形状を備えてもよい。
剛毛は、これらの端部が図３５に示すようにビード３７又は図３６に示すようなフォーク３８を形成するようになった加工を施してもよい。
【００５２】
図３７に示すようなフロック加工剛毛又は粒子３９、例えば図３８に示すように剛毛の表面に微小レリーフを与えるよう又は剛毛に磁性又は他の性質を与えるよう水分を吸収する材料の粒子を含むプラスチック材料を押し出すことによって作られた剛毛を用いることができる。
【００５３】
剛毛は、滑りやすくする性質をもたらす材料で作られたものであってもよい。
剛毛は、天然又は合成であってよく、例えば、ＰＥ、ＰＡ特にＰＡ６、ＰＡ６／６、ＰＡ６／１０又はＰＡ６／１２、ＨＹＴＲＥＬ（登録商標）−ＰＥＢＡＸ（登録商標）、シリコーン、ＰＵから選択された材料で作られたものであるのがよいが、これらには限定されない。
コアのストランドは、左又は右に撚り合わされたものであるのがよい。
【００５４】
図３９及び図４０を参照して以下に説明するように左ピッチを備えたブラシを用いると特に有利である。
図３９は、左ピッチの撚り合わせコアを備えたブラシ５を示し、図４０は、左ピッチの撚り合わせコアを示している。一点鎖線は、剛毛の端部によって構成されたシートＮの経路を示し、これらシートは、コアに垂直な平面に対して角度βを成している。欧州特許第６１１，１７０号明細書を参照すると役に立つ場合がある。
【００５５】
コアは、図４１に示すように２本の既に撚り合わせられた成分コアを撚り合わせることによって形成された２重コアであってもよい。各成分コアは、撚り合わせられて剛毛を保持する２本のストランドから成るのがよい。２つの成分コアは各々、Ｕ字形の形状に折り返される成分撚り合わせコアのそれぞれ対応関係にある枝部によって構成されたものであったものでよく、次いでこれら２つの枝部を撚り合わせる。
【００５６】
当然のことながら、本発明は、上述の実施形態には限定されない。
図２に示す例では、コアの剛毛支持部分１２は、直線状であるが、コアを僅かに湾曲させても本発明の範囲から逸脱しない。
加うるに、図２の例では、コアの剛毛支持部分１２の自由端部は、軸線Ｘから見て剛毛支持部分の最も遠くに位置する箇所を構成しているが、これはそのようにする必要はない。
ブラシは、場合によっては凹状フェーセットを形成する１又は複数の切欠きを有してもよい。
【００５７】
本明細書全体を通じ、部材個数に関し、「〜を有する又は含む（comprises a ）」という用語は、特段の指定がなければ、「〜を少なくとも一つ有する又は含む（comprises at least of ）」という表現と同義であると解されるべきである。
本発明に関連する好ましい態様として、以下のものをあげることができる。
[態様１]
物質（Ｐ）を角質繊維、特に睫毛又は眉毛に塗布するアプリケータであって、長手方向軸線（Ｘ）に沿って延びる端部（４ａ）を備えたロッド（４）及びロッドの端部（４ａ）に固定されたブラシ（５）を有し、ブラシは、コア（１０）と、コアの剛毛支持部分（１２）から延びる剛毛（１１）とから成り、前記剛毛支持部分の全ての箇所は、ロッドの端部の長手方向軸線（Ｘ）に対して０ではない角度をなし、前記角度は、２０°未満であることを特徴とするアプリケータ。
[態様２]
剛毛は、前記剛毛支持部分（１２）の少なくとも一箇所のところに断面が非円形の包絡面（Ｅ）を備えた自由端部を有していることを特徴とする上記態様１記載のアプリケータ。
[態様３]
前記剛毛支持部分（１２）は、実質的に直線状であることを特徴とする上記態様１又は２記載のアプリケータ。
[態様４]
前記剛毛支持部分（１２）は、その中間部（Ｍ）から延びる遠位端部（１３）を有し、ロッドの端部の長手方向軸線（Ｘ）は、前記遠位端部の包絡面と交わっていることを特徴とする上記態様１〜３のうちいずれか一に記載のアプリケータ。
[態様５]
コアの剛毛支持部分（１２）は、ロッド（４）の端部の長手方向軸線（Ｘ）に対し角度（α）をなし、前記角度（α）は、前記剛毛支持部分（１２）のあらゆる箇所において、１５°未満であることを特徴とする上記態様１〜４のうちいずれか一に記載のアプリケータ。
[態様６]
コアの剛毛支持部分（１２）は、ロッド（４）の端部の長手方向軸線（Ｘ）に対し角度（α）をなし、前記角度（α）は、前記剛毛支持部分（１２）のあらゆる箇所において、１０°以下であることを特徴とする上記態様１〜５のうちいずれか一に記載のアプリケータ。
[態様７]
ロッド（４）の端部の長手方向軸線（Ｘ）に対するコアの剛毛支持部分（１２）のなす角度（α）は、０．２°〜１５°であることを特徴とする上記態様１〜６のうちいずれか一に記載のアプリケータ。
[態様８]
ロッド（４）の端部の長手方向軸線（Ｘ）に対するコアの剛毛支持部分（１２）のなす角度（α）は、５°〜１０°であることを特徴とする上記態様１〜７のうちいずれか一に記載のアプリケータ。
[態様９]
コアの剛毛支持部分（１２）のロッドから遠く離れた端部（１２ｂ）は、長手方向軸線（Ｘ）から所定の距離（ｄ）のところに位置し、前記距離は、７．５ｍｍ未満であることを特徴とする上記態様１〜８のうちいずれか一に記載のアプリケータ。
[態様１０]
コアの剛毛支持部分（１２）のロッドから遠く離れた端部（１２ｂ）は、長手方向軸線（Ｘ）から所定の距離（ｄ）のところに位置し、前記距離は、４．５ｍｍ未満であることを特徴とする上記態様１〜６のうちいずれか一に記載のアプリケータ。
[態様１１]
ブラシは、少なくとも１つの長手方向隆起条（１５）を有していることを特徴とする上記態様１〜１０のうちいずれか一に記載のアプリケータ。
[態様１２]
ブラシは、２〜８の隆起条（１５）を有していることを特徴とする上記態様９記載のアプリケータ。
[態様１３]
ブラシは、少なくとも１つの平面又は凹状面（１６；２８；２９）を有していることを特徴とする上記態様１〜１２のうちいずれか一に記載のアプリケータ。
[態様１４]
ブラシは、ブラシを断面で見たときに、曲率半径を備えた少なくとも１つの凸状面（３０）を有し、前記曲率半径は、前記横断面で見てコアから延びる最も長い剛毛の長さよりも大きいことを特徴とする上記態様１〜１３のうちいずれか一に記載のアプリケータ。
[態様１５]
コア（１０）は、少なくとも２本の撚り合わされたストランドから成ることを特徴とする上記態様１〜１４のうちいずれか一に記載のアプリケータ。
[態様１６]
ストランドは、左ピッチで撚り合わされていることを特徴とする上記態様１５記載のアプリケータ。
[態様１７]
ストランドは、右ピッチで撚り合わされていることを特徴とする上記態様１３記載のアプリケータ。
[態様１８]
包絡面（Ｅ）は、コアの剛毛支持部分（１２）の長さの大部分にわたり一定断面のものであることを特徴とする上記態様１〜１７のうちいずれか一に記載のアプリケータ。
[態様１９]
包絡面（Ｅ）は、断面が変化する少なくとも１つの部分（１２）を備えていることを特徴とする上記態様１〜１５のうちいずれか一に記載のアプリケータ。
[態様２０]
包絡面（Ｅ）の断面は、コアの少なくとも一箇所において、多角形、特に３角形、正方形、５角形、６角形、横長形、特に楕円形、レンズ形、星形、特に、３〜６の枝を備えた星形、又は鍵穴形から成る群から選択された全体形状を備えていることを特徴とする上記態様１〜１９のうちいずれか一に記載のアプリケータ。
[態様２１]
包絡面の少なくとも１つの断面に関し、コアは、前記断面の対称中心を定めていることを特徴とする上記態様１〜２０のうちいずれか一に記載のアプリケータ。
[態様２２]
コアは、ブラシの長さに沿う少なくとも一箇所が中心から偏位していることを特徴とする上記態様１〜１８のうちいずれか一に記載のアプリケータ。
[態様２３]
直径の異なる少なくとも２組の剛毛を有していることを特徴とする上記態様１〜２２のうちいずれか一に記載のアプリケータ。
[態様２４]
弾性材料で作られた少なくとも１組の剛毛を有していることを特徴とする上記態様１〜２３のうちいずれか一に記載のアプリケータ。
[態様２５]
角質繊維上をこれに沿って滑りやすくする配合物を含む少なくとも１組の剛毛を有していることを特徴とする上記態様１〜２４のうちいずれか一に記載のアプリケータ。
[態様２６]
前記配合物は、粒子状配合物であることを特徴とする上記態様２５記載のアプリケータ。
[態様２７]
ロッドは、取っ手（６）に連結されていることを特徴とする上記態様１〜２６のうちいずれか一に記載のアプリケータ。
[態様２８]
取っ手は、塗布されるべき物質（Ｐ）を収容した受け器（２）を密封的に閉鎖するような仕方で構成されていることを特徴とする上記態様２７記載のアプリケータ。
[態様２９]
コアの剛毛支持部分（１２）の長手方向軸線（Ｙ）は全体が、ロッドの端部の長手方向軸線（Ｘ）を含む平面（Ｒ）の同一側に延びていることを特徴とする上記態様１〜２８のうちいずれか一に記載のアプリケータ。
[態様３０]
前記剛毛支持部分（１２）のロッドから遠く離れた端部（１２ｂ）は、ロッドの端部の長手方向軸線から前記剛毛支持部分の最も遠くに位置する箇所となっていることを特徴とする上記態様１〜２９のうちいずれか一に記載のアプリケータ。
[態様３１]
角質繊維、特に睫毛及び（又は）眉毛に物質を塗布するアプリケータ付き包装器具であって、物質を入れる受け器（２）及び上記態様１〜３０のうちいずれか一に記載のアプリケータ（３）を有していることを特徴とする器具。
[態様３２]
ブラシ（５）を受け器から取り外している間にブラシ（５）の拭い取りを行うように配置されたワイパ（９）を更に有していることを特徴とする上記態様１〜３１のうちいずれか一に記載の器具。
【図面の簡単な説明】
【００５８】
【図１】本発明のアプリケータ付き包装器具の一例の概略部分軸方向断面図である。
【図２】図１の器具のアプリケータの概略部分図である。
【図３】図２の平面ＩＩＩ−ＩＩＩ矢視断面図である。
【図４】とりわけ考えられる断面の例を示す図である。
【図５】とりわけ考えられる断面の例を示す図である。
【図６】とりわけ考えられる断面の例を示す図である。
【図７】とりわけ考えられる断面の例を示す図である。
【図８】とりわけ考えられる断面の例を示す図である。
【図９】とりわけ考えられる断面の例を示す図である。
【図１０】図９の矢印Ｘにより表された図１１の観察方向に垂直な観察方向に沿って見える部分図であり、図９に示す断面を備えたブラシを有するアプリケータを示す図である。
【図１１】図９の矢印ＸＩにより表された図１０の観察方向に垂直な観察方向に沿って見える２つの部分図であり、図９に示す断面を備えたブラシを有するアプリケータを示す図である。
【図１２】別の断面の他の例を示す図である。
【図１３】別の断面の他の例を示す図である。
【図１４】別の断面の他の例を示す図である。
【図１５】長さの一部にわたって断面が一定の包絡面を備えたブラシを備えたアプリケータの部分図である。
【図１６】剛毛断面の一つの例を示す図である。
【図１７】剛毛断面の別の例を示す図である。
【図１８】剛毛断面の別の例を示す図である。
【図１９】剛毛断面の別の例を示す図である。
【図２０】剛毛断面の別の例を示す図である。
【図２１】剛毛断面の別の例を示す図である。
【図２２】剛毛断面の別の例を示す図である。
【図２３】剛毛断面の別の例を示す図である。
【図２４】剛毛断面の別の例を示す図である。
【図２５】剛毛断面の別の例を示す図である。
【図２６】剛毛断面の別の例を示す図である。
【図２７】剛毛断面の別の例を示す図である。
【図２８】剛毛断面の別の例を示す図である。
【図２９】剛毛断面の別の例を示す図である。
【図３０】剛毛断面の別の例を示す図である。
【図３１】剛毛断面の別の例を示す図である。
【図３２】剛毛断面の別の例を示す図である。
【図３３】剛毛断面の別の例を示す図である。
【図３４】波状に起伏した剛毛の側面図である。
【図３５】剛毛の例の概略部分図である。
【図３６】剛毛の例の概略部分図である。
【図３７】剛毛の例の概略部分図である。
【図３８】剛毛の例の概略部分図である。
【図３９】左ピッチの撚り合わせコアを示す図である。
【図４０】右ピッチの撚り合わせコアを示す図である。
【図４１】２成分撚り合わせコアを撚り合わせることにより形成された２重コアを示す略図である。
【符号の説明】
【００５９】
１  アプリケータ付き包装器具
２  受け器
３  アプリケータ
４  ロッド
５  ブラシ
６  取っ手
７  ワイパ部材
１０  コア
１１  剛毛
Ｐ  物質
【図１】
2008110259.tif 000003
【図２】
2008110259.tif 000004
【図３】
2008110259.tif 000005
【図４】
2008110259.tif 000006
【図５】
2008110259.tif 000007
【図６】
2008110259.tif 000008
【図７】
2008110259.tif 000009
【図８】
2008110259.tif 000010
【図９】
2008110259.tif 000011
【図１０】
2008110259.tif 000012
【図１１】
2008110259.tif 000013
【図１２】
2008110259.tif 000014
【図１３】
2008110259.tif 000015
【図１４】
2008110259.tif 000016
【図１５】
2008110259.tif 000017
【図１６】
2008110259.tif 000018
【図１７】
2008110259.tif 000019
【図１８】
2008110259.tif 000020
【図１９】
2008110259.tif 000021
【図２０】
2008110259.tif 000022
【図２１】
2008110259.tif 000023
【図２２】
2008110259.tif 000024
【図２３】
2008110259.tif 000025
【図２４】
2008110259.tif 000026
【図２５】
2008110259.tif 000027
【図２６】
2008110259.tif 000028
【図２７】
2008110259.tif 000029
【図２８】
2008110259.tif 000030
【図２９】
2008110259.tif 000031
【図３０】
2008110259.tif 000032
【図３１】
2008110259.tif 000033
【図３２】
2008110259.tif 000034
【図３３】
2008110259.tif 000035
【図３４】
2008110259.tif 000036
【図３５】
2008110259.tif 000037
【図３６】
2008110259.tif 000038
【図３７】
2008110259.tif 000039
【図３８】
2008110259.tif 000040
【図３９】
2008110259.tif 000041
【図４０】
2008110259.tif 000042
【図４１】
2008110259.tif 000043